(57)【要約】【課題】  番組表内で視聴者の指定した注目番組の視認性をよくし、視聴者の嗜好にあった番組情報をより多く表示する電子番組表表示装置の提供。【解決手段】  ２次元マトリクス上に番組表を表示する際に、視聴者の注目番組２６の放送されるチャンネルおよび時間だけをほかのチャンネルおよび時間の目盛り間隔よりも広げることで、注目番組の表示ブロックを大きくして、注目番組の視認性を向上させる。さらに、同じ番組表内に注目番組と同一チャンネルおよび同一時間に放送される別の番組の表示ブロックも大きくなるため、文字の大きさなどを変えることなくより多く番組情報を表示することが可能になり、注目番組と同じカテゴリーの番組情報を視聴者に表示することができる。【選択図】  図２
2006203535.tif 000002
【特許請求の範囲】
【請求項１】
テレビジョン放送のスケジュールが記載された番組表を作成して表示する電子番組ガイド表示装置であって、
電子番組ガイドの情報が含まれた放送を受信する受信手段と、
前記受信手段で受信された電子番組ガイドの番組情報をデコードするデコード手段と、
前記デコード手段でデコードされた番組情報を蓄積する蓄積手段と、
前記蓄積手段から番組表の作成に必要な番組情報を取出す手段と、
視聴者に注目番組を指定させると共に、注目番組の変更と該変更方法を指定させるための外部入力手段と、
前記指定された注目番組の番組情報、放送チャンネル名、及び放送時間帯を、前記蓄積手段を検索して取得する手段と、
前記検索された注目番組が放送されるチャンネルのチャンネル名表示を含む行の幅を他のチャンネルのチャンネル名表示を含む行の幅よりも拡大させたものであると共に、視聴者が指定した番組の放送時間を記載する列の幅についても、他の番組の放送時間を記載する列の幅よりも拡大するように番組表内の表示区画のサイズを、前記注目番組の前記放送チャンネル名及び前記放送時間帯に基づいて算出する手段と、
放送チャンネル名を縦軸とし、かつ放送予定時刻を横軸とする２次元マトリクス表現の番組表を構成する番組情報の表示区画を作成するに際し、前記注目番組に対応する表示区画については前記計算されたサイズに従って作成する手段と、
前記注目番組を含む番組の番組情報を、対応する前記表示区画の各々に記載して番組表を作成する手段と、
前記番組表を表示する表示手段と、
を備えたことを特徴とする電子番組ガイド表示装置。
【請求項２】
前記番組表は、視聴者が指定した番組が放送されるチャンネルのチャンネル名表示を含む行の幅を他のチャンネルのチャンネル名表示を含む行の幅よりも拡大させたものであると共に、視聴者が指定した番組の放送時間を記載する列の幅については、他の番組の放送時間を記載する列の幅と同じにしたものであることを特徴とする請求項１に記載の電子番組ガイド表示装置。
【請求項３】
前記番組表は、視聴者が指定した番組の放送時間を記載する列の幅を他の番組の放送時間を記載する列の幅よりも拡大させたものであると共に、視聴者が指定した番組が放送されるチャンネルのチャンネル名表示を含む行の幅については、他のチャンネルのチャンネル名表示を含む行の幅と同じにしたものであることを特徴とする請求項１に記載の電子番組ガイド表示装置。
【請求項４】
前記番組表は、視聴者が指定した番組が放送されるチャンネルのチャンネル名表示を含む行の幅を他のチャンネルのチャンネル名表示を含む行の幅よりも拡大させたものであると共に、視聴者が指定した番組の放送時間を記載する列の幅については、前記放送時間内の一定時間帯だけを他の番組の放送時間を記載する列の幅よりも拡大させたものであることを特徴とする請求項１に記載の電子番組ガイド表示装置。
【請求項５】
前記番組表は、視聴者が指定した番組の放送時間を記載する列の幅を前記放送時間内の一定時間帯だけを他の番組の放送時間を記載する列の幅よりも拡大させたものであると共に、視聴者が指定した番組が放送されるチャンネルのチャンネル名表示を含む行の幅については、他のチャンネルのチャンネル名表示を含む行の幅と同じにしたものであることを特徴とする請求項１に記載の電子番組ガイド表示装置。
【請求項６】
請求項１から請求項５のいずれか１項に記載の電子番組ガイド表示装置を備えたことを特徴とするデジタル放送受信装置。
【発明の詳細な説明】
【技術分野】
【０００１】
本発明は、有線または無線等の情報媒体からテレビジョン番組の電子番組ガイド（ＥＰＧ）を受信して蓄積し、このＥＰＧに含まれるテレビジョン番組の情報を、横軸を時間、縦軸をチャンネルとする２次元テーブル上に表示させる電子番組ガイド表示装置に関する。
【背景技術】
【０００２】
従来、テレビジョン放送においては、各番組の放送スケジュールが予め決められており、近年では、この放送スケジュールが電子番組ガイドという形で、各種情報媒体等により配信されている。
【０００３】
図８は、従来の電子番組ガイド表示装置が表示する番組表の１例を示すテーブルである。
【０００４】
同図に示す番組表では、テーブル縦軸の各チャンネル番号または放送局名（８４）と、テーブル横軸の時刻（８３）とが交差する区画として、均等に分割される２次元マトリックス中に、番組名（８５）が表示される。
【０００５】
また、このテーブルの欄外には、ユーザの選んだチャンネル（８０）の表示情報（８２）を示し、さらに、このテーブルの欄外の他の箇所には、番組名（８５）の内の注目番組（ハッチング表示の番組）の詳細情報（省略されていない情報）（８１）等を表示している。
【０００６】
しかしながら、従来の電子番組ガイド表示装置は、画面サイズや解像度の関係から、表示できるチャンネル番号は６〜８チャンネル程度であり、また、時間軸（横軸）方向では、一度に表示する分として、２〜３時間程度に制限しておかなければ、視聴者が区画内に表示された情報を読み取ることが困難であるため、一覧性に乏しいという問題点があった。
【０００７】
この問題点を回避するために、例えば、特許文献１（特開平１１−３１３２９１号公報）に開示された技術によれば、横軸のチャンネル番号や縦軸の時刻の間隔を１／ｆ揺らぎを利用し、これにより多くの番組や時刻を表示することで、多数の番組を一覧表示することができるようにしている。
【０００８】
さらに、従来の電子番組ガイド表示装置には、放送スケジュールを２次元マトリクス表示にしたことにより、タイトルの長い番組では、表示ブロックのサイズの関係上、タイトルが途中で省略されてしまうという問題点があった。また、それほどタイトルの長くない番組であっても、短い時間の番組などでは、区画（掲載スペース）も狭くなるので、同様の問題点が生じていた。
【０００９】
この問題点を回避するために、テーブル（マトリクス）内に収まらない番組タイトルについては、このテーブルの欄外領域に、省略されていないタイトルを全て表示するなどの手法が一般的に用いられている。
【００１０】
また、番組情報を表示させるための方法として、特許文献２（特開平１１ー１５５１１０号公報）に開示された方法では、番組の詳細情報を表示するために、視聴者が選択したい番組（注目番組等）をマウスでクリックすることで、この番組の表示欄のスペースを広げて詳細情報を表示する方法が開示されている。
【００１１】
ところが、近年は、表示装置の大画面化及び高精細化に伴い、受信したＥＰＧに含まれるテレビジョン番組の情報について、一画面表示できる量（即ち、一度に表示できる量）を、これまでより増大させることが可能になってきた。このため、表示できるチャンネル数や時間を、例えば、２０チャンネル×８時間などのように、これまでの倍以上にしても、視聴者が表示された情報を読み取ることが容易となった。これにより、番組ガイドの一覧性を向上させることが可能になっている。
【特許文献１】特開平１１−３１３２９１号公報
【特許文献２】特開平１１−１５５１１０号公報
【発明の開示】
【発明が解決しようとする課題】
【００１２】
しかしながら、上記背景技術で述べた従来の電子番組ガイド表示装置にあっては、やはり大画面化などにより一覧性が向上し、その分だけ多くの番組を一覧表示できることになり、画面全体に多くの情報が詰め込まれることになる反面、番組のタイトルなどは、番組表のテーブル領域のブロックサイズの関係上、全体を表示することができないという問題点があった。
【００１３】
このため、視聴者は、省略されたタイトルの全体を見るために、テーブル領域の欄外に表示された情報を見る必要があり、そのため視線の移動量が大きくなるという問題点があった。
【００１４】
また、注目する番組が複数の場合は、注目番組のタイトル全体を確認してから、再度、次の注目番組にカーソルを移動させて、この番組についても、再度、タイトル全体を確認するといった一連の作業をする必要があり、このような作業は、多大な疲労が伴うことになるという問題点もあった。
【００１５】
ちなみに、画面の高精細化により、各番組の放送チャンネルや放送時間を示す区画サイズを小さくして表示しても、注目番組の表示が可能である。しかし、この場合には、その反面、番組を表示する区画サイズが画面全体に対して占める割合が極端に小さくなってしまうので、表示された一覧の中で、視聴者が注目する番組を見失ってしまうことの可能性が非常に高くなるという問題点が生じる。
【００１６】
なお、前述の特許文献１に開示された技術、即ち、１／ｆ揺らぎを利用する表示方法の場合は、注目番組から離れるほど、表示区画のサイズが小さくなってしまって、注目番組から離れた部分では必要な情報を読み出すことが困難となり、折角の大画面高精細化で得られた一覧性の利用効率が悪くなってしまうという問題点がある。さらに、１／ｆ揺らぎを利用しているため、注目番組と、その隣の番組間の視覚的な差分を大きくして注目番組を強調することができず、このため、注目番組を直感的に判別することが困難であるという問題点がある。
【００１７】
また、前述の特許文献２に開示された方法、即ち、視聴者が選択したい番組（注目番組等）をマウスでクリックした時に、この番組の表示欄のスペースを広げて詳細情報を表示する方法の場合は、そもそも視聴者が注目番組の表示区画を見い出せない場合や、注目番組の表示区画を見失ってしまった時には意味の無いものになり、さらに、このような場合、すべてのタイトルを表示させるには、再びカーソルを移動させて、所定のアイコンやボタンをクリックするという余分な操作が必要になり、操作が煩雑になるという問題点がある。
【００１８】
さらに、一覧として全体を眺める時点では、注目番組以外の不要な番組のタイトルも表示されるので、画面全体の情報量が多くなり過ぎて、直感的に注目番組を捉えることが困難になるという問題点がある。
【００１９】
また、一般に、放送局によって放送される番組内容には特徴があり、さらには同一時間帯に同様のカテゴリーに属する番組が放送される傾向がある。しかしながら、従来の電子番組ガイドでは、２次元マトリクス（テーブル）の目盛りはすべて均等に盛られているため、例えば、「或る特定のチャンネルで放送される番組のみを調べたい」、「或る特定の時間帯に放送される番組だけを詳しく表示してほしい」といった視聴者の要求には答えることができず、どのチャンネルであっても、また、どの時間帯であっても、画一的に表示されてしまうという問題点があった。
【００２０】
本発明は、上記従来の問題点に鑑みてなされたものであって、番組表を表示するに際し、視聴者が指定した注目番組を放送するチャンネルと時間だけをほかのチャンネルおよび時間の目盛り間隔よりも広げることで注目番組を表示するブロックのサイズを大きくすることにより、注目番組の視認性を向上させることができる電子番組ガイド表示装置を提供することを目的としている。
【００２１】
また、番組表を表示するに際し、注目番組と同一チャンネルおよび同一時間に放送される別の番組の表示ブロックも大きくなるため、文字の大きさなどを変えることなくより多く番組情報を表示することが可能になり、注目番組と同じカテゴリーの番組情報を視聴者に表示することができる電子番組ガイド表示装置を提供する。
【課題を解決するための手段】
【００２２】
上記課題を解決するために、発明に係る電子番組ガイド表示装置は、以下の特徴を備えている。
【００２３】
本発明に係る電子番組ガイド表示装置は、テレビジョン放送のスケジュールが記載された番組表を作成して表示する電子番組ガイド表示装置であって、電子番組ガイドの情報が含まれた放送を受信する受信手段と、前記受信手段で受信された電子番組ガイドの番組情報をデコードするデコード手段と、前記デコード手段でデコードされた番組情報を蓄積する蓄積手段と、前記蓄積手段から番組表の作成に必要な番組情報を取出す手段と、視聴者が注目番組を指定するための外部入力手段と、前記指定された注目番組の番組情報、放送チャンネル名、及び放送時間帯を、前記蓄積手段を検索して取得する手段と、前記検索された注目番組が放送されるチャンネルのチャンネル名表示を含む行の幅を他のチャンネルのチャンネル名表示を含む行の幅よりも拡大させたものであると共に、視聴者が指定した番組の放送時間を記載する列の幅についても、他の番組の放送時間を記載する列の幅よりも拡大するように番組表内の表示区画のサイズを、前記注目番組の前記放送チャンネル名及び前記放送時間帯に基づいて算出する手段と、放送チャンネル名を縦軸とし、かつ放送予定時刻を横軸とする２次元マトリクス表現の番組表を構成する番組情報の表示区画を作成するに際し、前記注目番組に対応する表示区画については前記計算されたサイズに従って作成する手段と、前記注目番組を含む番組の番組情報を、対応する前記表示区画の各々に記載して番組表を作成する手段と、前記番組表を表示する表示手段とを備えたことを特徴とする電子番組ガイド表示装置を提供するものである。
【００２４】
また、前記電子番組ガイド表示装置において、前記番組表は、視聴者が指定した番組が放送されるチャンネルのチャンネル名表示を含む行の幅を他のチャンネルのチャンネル名表示を含む行の幅よりも拡大させたものであると共に、視聴者が指定した番組の放送時間を記載する列の幅については、他の番組の放送時間を記載する列の幅と同じにしたものであることを特徴とする。
【００２５】
また、前記電子番組ガイド表示装置において、前記番組表は、視聴者が指定した番組の放送時間を記載する列の幅を他の番組の放送時間を記載する列の幅よりも拡大させたものであると共に、視聴者が指定した番組が放送されるチャンネルのチャンネル名表示を含む行の幅については、他のチャンネルのチャンネル名表示を含む行の幅と同じにしたものであることを特徴とする。
【００２６】
また、前記電子番組ガイド表示装置において、前記番組表は、視聴者が指定した番組が放送されるチャンネルのチャンネル名表示を含む行の幅を他のチャンネルのチャンネル名表示を含む行の幅よりも拡大させたものであると共に、視聴者が指定した番組の放送時間を記載する列の幅については、前記放送時間内の一定時間帯だけを他の番組の放送時間を記載する列の幅よりも拡大させたものであることを特徴とする。
【００２７】
さらに、前記電子番組ガイド表示装置において、前記番組表は、視聴者が指定した番組の放送時間を記載する列の幅を前記放送時間内の一定時間帯だけを他の番組の放送時間を記載する列の幅よりも拡大させたものであると共に、視聴者が指定した番組が放送されるチャンネルのチャンネル名表示を含む行の幅については、他のチャンネルのチャンネル名表示を含む行の幅と同じにしたものであることを特徴とする。
【００２８】
また、本発明に係るデジタル放送受信装置は、前記電子番組ガイド表示装置を備えたことを特徴とする。
【発明の効果】
【００２９】
以上説明したように、本発明の電子番組ガイド表示装置によれば、番組表を表示するに際し、視聴者が指定した注目番組の表示ブロックを拡大して表示するので、視聴者は、表示された番組表から、指定した注目番組の番組情報が掲載された箇所を容易に見つけることができる効果がある。
【００３０】
また、視聴者が、前記注目番組以外の他の放送チャンネルや放送時間の番組に視線を移すか、若しくは本装置が表示する番組表以外に視線を移した後であっても、注目番組の番組情報が掲載された箇所を容易に見つけることができる効果がある。
【００３１】
さらに、注目番組については、拡張された表示区画内に、タイトルを省略せずに全体を表示することが可能であるので、視聴者は、従来のように、省略されていないタイトルを見るために、タイトル全体が表示されている番組表内の他の領域へと視線移動をする必要が無くなり、視線移動に伴う疲労を軽減することができる効果がある。
【００３２】
また、注目番組と同一チャンネル、及び同一時間帯で放送される他の番組についても表示ブロックが大きくなりより多くの文字を表示できるようになるため、より多くの番組情報を提供することができる。そのため、視聴者は、注目番組以外にも、注目番組を変更するという操作を行うことなしに、番組内容に特徴のある同一チャンネルの番組や同様のカテゴリーに属する番組が放送される可能性が高い同一時間に放送される番組などの自己の嗜好にマッチした番組を容易に視認することが可能となり、視聴者の使い勝手や使用感が向上する効果がある。
【発明を実施するための最良の形態】
【００３３】
以下、本発明の電子番組ガイド表示装置の最良の実施形態について、図面を参照して詳細に説明する。
【００３４】
図１は、本発明の実施形態に係る電子番組ガイド表示装置を備えたデジタル放送受信装置の全体構成を示す構成図である。
【００３５】
同図において、本実施形態に係る電子番組ガイド表示装置を備えたデジタル放送受信装置は、デジタル放送の番組を受信するチューナ部１０と、チューナ部１０で受信されたデジタル放送の番組情報をデコードする放送情報デコード部１１と、放送情報デコード部で分離された映像音声ストリームをデコードして再構成する映像音声デコード部１２と、を具備する。
【００３６】
また、同装置は、映像音声デコード部１２で再構成された映像を表示する表示部１３と、放送情報デコード部１１でデコードされた番組情報を蓄積する番組情報蓄積部１４と、番組情報蓄積部１４から必要な番組情報を取出す際の制御手段である制御部１５と、リモートコマンダ（コントローラ）等を介してユーザからの指示を受ける入力部１７と、を具備する。
【００３７】
さらに、同装置は、入力部１７で入力された入力情報を解析し、必要に応じて制御部１５へ情報を伝える入力情報解析部１８と、入力部１７で指示された情報に従い制御部１５で番組情報蓄積部１４から取出した番組情報を表示部１３へ表示できる形にする番組表作成部１６と、を具備する。
【００３８】
以下、本実施形態に係る電子番組ガイド表示装置を備えたデジタル放送受信装置の機能を説明する。
【００３９】
チューナ部１０は、図示しないアンテナが受信した複数チャンネルのデジタル放送信号を選局し、放送情報デコード部１１に送出する。
【００４０】
放送情報デコード部１１は、チューナ部１０から送出されたデジタル放送信号から、放送情報（番組情報、及び番組付加情報を含む）を抽出して復号し、番組情報蓄積部１４に送出する。また、映像・音声情報については、そのまま映像音声デコード部１２に送出する。
【００４１】
映像音声デコード部１２は、チューナ部１０から放送情報デコード部１１を介して送出されたデジタル放送信号から、映像・音声情報を抽出して復号し、表示部１３に送出する。
【００４２】
番組情報蓄積部１４は、この送出された放送情報から番組情報を抽出して図示しないデータベースに蓄積する。
【００４３】
入力部１７は、視聴者の指示等を入力する。この指示には、視聴者が最初にカーソルを当てる可能性が高い注目番組の指定を含む番組ガイド表示要求の他、前記注目番組と同時刻に放送されている他のチャンネルの番組を新たな注目番組に指定する注目番組の移動指示（チャンネル軸への移動指示）、及び前記注目番組と同じチャンネルの他の時間帯の番組を新たな注目番組に指定する注目番組の移動指示（時間軸への移動指示）が含まれる。
【００４４】
なお、この各移動指示の入力は、カーソル操作でもって行う必要がないように、例えば、ボタンやアイコンの操作だけで入力できるように構成することも可能である。
【００４５】
入力情報解析部１８は、入力部１を介して入力される視聴者からの指示等の内容を解析し、適宜、視聴者と応答すると共に、必要に応じて、前記指示等を制御部１５に送出する。
【００４６】
制御部１５は、前記番組ガイド表示要求を受け、番組情報蓄積部１４に蓄積された番組情報から、視聴者によって最初にカーソルを当てられる前記指定された注目番組を検索する。また、番組情報蓄積部１４に蓄積されている番組情報から、注目番組として番組ガイドに表示するべき番組分のチャンネルと時間を検索（取得）する。その後、制御部１５は、注目番組の放送されるチャンネルと時間帯について、広げるべき表示区画のサイズを算出し、一覧表として表示すべき番組の番組情報と共に、前記算出した注目番組表示区画のサイズを番組表作成部１６に送出する。
【００４７】
なお、この処理では、例えば、図２に示す番組表の注目番組の番組情報を表示する表示区画について、２０：００〜２１：００を表示する横方向の表示間隔、及びテレビＣＣのチャンネル名を表示する縦方向の高さとを、それぞれ通常表示区画のサイズの２倍として算出することができる（作成される番組表の例については、図２〜６に示す）。
【００４８】
また、制御部１５は、前記情報の番組表作成部１６への送出後、引き続き、視聴者（ユーザ）からの指示を待ち、この指示が時間軸（横軸）方向への注目番組の移動を指示するものであれば同じチャンネルでの、現在の注目番組の放送時間の次の時刻に放送される番組に注目番組を変更し、その後、再び、表示区画のサイズを計算し直した後、同様に表示処理を継続する。また、制御部１５は、視聴者（ユーザ）からの指示が注目番組のチャンネル軸（縦軸）方向への移動を指示するものであれば、現在の注目番組を放送するチャンネルの隣のチャンネルの同一時間帯に放送されている番組に注目番組を変更し、その後、再び、表示区画のサイズを計算し直した後、同様に表示処理を継続する。
【００４９】
番組表作成部１６は、前記番組情報と、前記算出された注目番組表示区画のサイズとを受けて、表示すべき各番組の番組情報をチャンネルと時間帯との交差箇所の表示区画にそれぞれ表示可能にする２次元マトリクスを作成し、表示部１３の画面サイズに合わせて、前記２次元マトリクスを含む一覧表示すべき番組表を作成し、表示部１３に送出する。
【００５０】
表示部１３は、前記送出された映像・音声情報と、前記送出された番組表とを、それぞれ送出されたタイミングで、表示画面に表示する。
【００５１】
図２は、本発明の実施形態に係る電子番組ガイド表示装置によって表示される番組表の１例を示すテーブルである。
【００５２】
同図に示す番組表は、テーブル領域における縦軸（放送チャンネル軸）を、ＡＡ放送からＪＪまでの１０チャンネルとし、横軸（時間軸）を、８月３１日の１８：００から２４：００に至るまでとした番組表であり、この縦軸と横軸が交差する区画において、放送番組情報を表示しているものである。
【００５３】
この番組表の上部の領域２０には、注目している番組の放送チャンネルであるチャンネル名（この例では、テレビＣＣ）と、そのチャンネル番号である「１０３ｃｈ」が表示されている。
【００５４】
また、この番組表の領域２１には、番組表中の番組のうち、注目している番組の情報（タイトル及び放送時間）が表示されている。
【００５５】
また、この番組表の領域２２には、放送スケジュールに組み込まれて一覧表示されている放送番組の放送日の日付が表示されている。さらに、この番組表の領域２３にはテーブル横軸としての時間目盛りが表示されており、また、この番組表の領域２４にはテーブル縦軸としてのチャンネル名が表示されている。
【００５６】
この横軸（時間）と縦軸（チャンネル名）とで示される２次元マトリクスには、各交部分に各表示区画が位置し、この各表示区画内には、対応する番組情報が表示されている。
【００５７】
符号２６は、現在注目している番組（即ち、予め視聴者が指定した注目番組）の番組情報を示している。この注目番組は、縦軸上のチャンネル（テレビＣＣ）の放送番組であり、２０：００から２１：００まで放送する番組である。このテレビＣＣの番組は、他のチャンネルよりもテーブル行が広い幅で表示されているので、視聴者は、現在注目している番組の番組情報がテレビＣＣが記載されている行に存在することを容易に視認できる。
【００５８】
さらに、この注目番組が放送される時間帯である２０：００から２１：００までの時間帯が、他の番組の時間帯よりも広い幅で表示されているので、視聴者は、この時間帯に、注目番組が放送されていることを容易に視認できる。
【００５９】
このように、本実施形態では、番組表のテーブル領域において、注目番組が、放送されているチャンネルと放送時間帯との表示区画のサイズを広げたことにより、注目番組の視認が容易になり、注目番組の番組情報を表示ブロック内により多く表示する。さらには、注目番組と同じチャンネルで放送されている他の番組、及び注目番組と同じ時間に放送されている他の番組の番組情報（タイトル名等）についても、表示する文字の大きさを変えることなく、表示する文字数を増やして表示する。
【００６０】
このため、注目番組については、番組のタイトル全体が表示される機会が格段に増加するので、視聴者は、タイトル全体が表示されている領域２１への視線移動を行うこと無しに、注目番組のタイトルを容易に視認することが可能になる。
【００６１】
もしくは、注目番組については、広げた表示区画のサイズに合わせて文字の大きさを大きくしたとすれば、視聴者の注意を引き付けることが可能になり、視聴者が注目番組を見失う可能性をより減少させることができる。
【００６２】
さらに、注目番組と同じチャンネルにおいて放送される他の番組や、注目番組と同一時刻に放送される他のチャンネルの番組のタイトルについては、従来よりもより多くのタイトル文字数を表示することが可能になる。これにより、視聴者が予め指定した注目番組とは別に、視聴者の嗜好に合う可能性のある他の番組の情報を従来よりも多く提供することができる。
【００６３】
図３〜６は、本発明の実施形態に係る電子番組ガイド表示装置が表示する番組表の他の表示例を示す。
【００６４】
以下、図２に示す表示画面例と異なる部分についてのみ説明する。
【００６５】
図３に示す番組表は、図２と同じ時間、同じチャンネルについての番組表を示す。図２で示した番組表では、注目番組の放送されている時間帯（横軸）と、チャンネル（縦軸）とが共に２倍に拡大表示されているが、図３に示す画面表示例ではチャンネル（縦軸）のみが２倍に拡大表示されている。
【００６６】
また、図４に示す番組表も、図２と同じ時間、同じチャンネルについての番組表を示す。図２で示した番組表では、注目番組の放送されている時間帯（横軸）と、チャンネル（縦軸）とが共に２倍に拡大表示されているが、図４に示す画面表示例では時間帯（横軸）のみが２倍に拡大表示されている。
【００６７】
また、図５に示す番組表は、図２と同じ時間、同じチャンネルについての番組表を示す。ただし注目番組が、放送局名ＤＤ−ＴＶでそのチャンネル番号１０４ｃｈに１９：００から２１：００まで放送される番組となっている。図２で示した番組表では、注目番組の放送されている時間帯（横軸）と、チャンネル（縦軸）とが共に２倍に拡大表示されているが、図５に示す画面表示例では、チャンネル（縦軸）が２倍に拡大表示されるが、時間帯（横軸）については、注目番組が２時間番組であっても、２倍に拡大する時間帯を、後半の１時間分だけに制限している。
【００６８】
また、図６に示す番組表は、図５と同様に、図２と同じ時間、同じチャンネルについての番組表を示す。ただし注目番組が、放送局名ＤＤ−ＴＶでそのチャンネル番号１０４ｃｈに１９：００から２１：００まで放送される番組となっている。
【００６９】
図２で示した番組表では、注目番組の放送されている時間帯（横軸）と、チャンネル（縦軸）とが共に２倍に拡大表示されているが、図６に示す画面表示例では、チャンネル（縦軸）は通常幅での表示とし、時間帯（横軸）については、注目番組の実際の放送時間が２時間（２時間番組）であっても、２倍に拡大表示する時間帯を、後半の１時間分（２０：００から２１：００まで）だけに制限している。
【００７０】
これにより、注目番組を移動させても、常に横軸（時間）は一定の拡大幅となるため、画面全体の表示時間が番組によって変化することなく、視聴者の操作感を向上させることが可能になる。
【００７１】
図７は、本発明の実施形態に係る電子番組ガイド表示装置における注目番組を含む番組表の表示処理時の動作を示すフローチャートである。
【００７２】
以下、図１〜６を参照し、図７に示すフローチャートを使用して、本実施形態に係る電子番組ガイド表示装置による番組情報の画面表示処理の動作を説明する。
【００７３】
まず、入力部１７と入力情報解析部１８とを介して、視聴者から、視聴者が最初にカーソルを当てる注目番組の指定を含む番組ガイド表示要求が制御部１５に入力される（ステップＳ１）。
【００７４】
これを受けて、制御部１５は、番組情報蓄積部１４に蓄積された番組情報から、前記指定された注目番組を含む番組情報を検索して取得すると共に、一覧表示すべき番組全体の番組情報も取得する（ステップＳ２）。
【００７５】
次に、制御部１５は、番組情報蓄積部１４に蓄積されている番組情報から、前記注目番組のチャンネルと時間とを検索して取得する（ステップＳ３）。
【００７６】
次に、制御部１５は、前記注目番組が放送される予定の前記チャンネルと時間帯とに対応して、広げるべき表示区画のサイズを算出し、この算出したサイズを、一覧表として表示すべき番組全ての番組情報と共に、番組表作成部１６に送出する（ステップＳ４）。
【００７７】
これを受けて、番組表作成部１６は、表示すべき各番組の番組情報をチャンネルと時間帯との交差箇所の表示区画にそれぞれ表示可能にする２次元マトリクスを作成し、表示部１３の画面サイズに合わせて、前記２次元マトリクスを含む一覧表示すべき番組表を作成する（ステップＳ５）。
【００７８】
次に、番組表作成部１６は、作成した番組表を表示部１３に送出して表示させる（ステップＳ６）。
【００７９】
次に、制御部１５は、視聴者（ユーザ）からの指示を待ち、この指示が時間軸（横軸）方向への注目番組の移動を指示するものであればステップＳ８に進み、また、視聴者（ユーザ）からの指示が注目番組のチャンネル軸（縦軸）方向への移動を指示するものであればステップＳ９に移る（ステップＳ７）。
【００８０】
ステップＳ８では、制御部１５が、同じチャンネルでの、現在の注目番組の放送時間の次の時刻に放送される番組に注目番組を変更し、その後、表示区画のサイズを算出するステップ４に戻って、表示区画のサイズを計算し直した後、同様に表示処理を継続する。
【００８１】
ステップＳ９では、制御部１５が、現在の注目番組を放送するチャンネルの隣のチャンネルの同一時間帯に放送されている番組に注目番組を変更し、その後、表示区画のサイズを算出するステップ４に戻って、表示区画のサイズを計算し直した後、同様に表示処理を継続する。
【００８２】
なお、この実施形態では、図７のフローチャートに示す処理において、検索処理と計算処理とが制御部１５のみで実行されるものとしたが、これに代えて、制御部１５と番組表作成部１６とで機能分担して実行されるように構成することも可能である。一般には、番組情報蓄積部１４から必要情報を取得して、図２〜６に示す番組表を表示部１３の表示画面に表示する情報処理を行う構成要素でありさえすればよい。
【００８３】
また、ステップＳ７の処理において、ユーザ指示が新しい注目番組を含む番組ガイド表示要求であるか否かを検証し、ユーザ指示が新しい注目番組を含む番組ガイド表示要求である場合は、制御の流れをステップＳ２に戻すように構成することも可能である。
【００８４】
さらに、本発明に係る電子番組ガイド表示装置の各構成要素の処理の少なくとも一部をコンピュータ制御により実行するものとし、かつ、上記処理を、図７のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【００８５】
【図１】本発明の実施形態に係る電子番組ガイド表示装置を備えたデジタル放送受信装置の全体構成を示す構成図である。
【図２】本発明の実施形態に係る電子番組ガイド表示装置によって表示される番組表の１例を示すテーブルである。
【図３】本発明の実施形態に係る電子番組ガイド表示装置によって表示される番組表の他の１例を示すテーブルである。
【図４】本発明の実施形態に係る電子番組ガイド表示装置によって表示される番組表の他の１例を示すテーブルである。
【図５】本発明の実施形態に係る電子番組ガイド表示装置によって表示される番組表の他の１例を示すテーブルである。
【図６】本発明の実施形態に係る電子番組ガイド表示装置によって表示される番組表の他の１例を示すテーブルである。
【図７】本発明の実施形態に係る電子番組ガイド表示装置における注目番組を含む番組表の表示処理時の動作を示すフローチャートである。
【図８】従来の電子番組ガイド表示装置が表示する番組表の１例を示すテーブルである。
【符号の説明】
【００８６】
１０  チューナ部（デジタル放送受信手段）
１１  放送情報デコード部（放送情報デコード手段）
１２  映像音声デコード部（映像・音声デコード手段）
１３  表示部（表示手段）
１４  番組情報蓄積部（番組情報蓄積手段）
１５  制御部（制御手段）
１６  番組表作成部（番組ガイド作成手段）
１７  入力部（外部入力手段）
１８  入力情報解析部
２０  番組表領域（注目放送局表示部）
２１  番組表領域（注目番組情報表示部）
２２  番組表領域（番組放送日表示部）
２３  番組表領域（番組時刻表示部）
２４  番組表領域（チャンネル表示部）
２５  番組表領域（番組情報表示区画）
２６  番組表領域（注目番組情報表示区画）
【図１】
2006203535.tif 000003
【図２】
2006203535.tif 000004
【図３】
2006203535.tif 000005
【図４】
2006203535.tif 000006
【図５】
2006203535.tif 000007
【図６】
2006203535.tif 000008
【図７】
2006203535.tif 000009
【図８】
2006203535.tif 000010